(57)【要約】【課題】樹脂成形品の加飾側表面に生じ易い加飾フィルムの皴、傷、破れ、或いは局部的な薄色化などを緩和するインモールド射出成形金型装置と、このようなインモールド射出成形金型装置を用いた樹脂成形品製造方法とを提供する。【解決手段】キャビティ１１を有する第１金型１０と、コア２１を有する第２金型２０と、加飾フィルム３０を第１金型１０の第１分割面１３に押し付けるクランプ部材４０と、加飾フィルム３０とキャビティ１１内面との間の密閉空間の空気を吸引する吸引通路１４とを有し、クランプ部材４０は、加飾フィルム３０を第１金型１０に押し付ける柔軟性材料からなる押付部材４１を有し、押付部材４１は、吸引工程時に加飾フィルム３０に作用する張力により、加飾フィルム３０を第１金型１０との間に挟持拘束した状態のまま撓み、キャビティ１１側へ移動するように構成されている。【選択図】  図１０
2017105061.tif 000002
【特許請求の範囲】
【請求項１】
製品形状部の加飾面側の形状を形成するキャビティ１１を有する第１金型１０と、
前記第１金型１０に対応して製品形状部の非加飾面側の形状を形成するコア２１を有する第２金型２０と、
型開き時に前記キャビティ４１の外側において、前記第１金型１０における前記第２金型２０との第１分割面１３に対し加飾フィルム３０を押し付けることにより第１分割面１３との間に前記加飾フィルム３０を拘束するクランプ部材４０と、
前記加飾フィルム３０が前記クランプ部材４０により拘束されることにより形成される前記加飾フィルム３０と前記キャビティ１１の内面との間の密閉空間の空気を吸引する、前記第１金型１０に形成された吸引通路１４とを有し、
前記クランプ部材４０は、前記加飾フィルム３０を前記第１金型１０に押し付ける部材として柔軟性材料からなる押付部材４１を有し、
前記押付部材４１は、前記密閉空間の吸引時に前記加飾フィルム３０に作用する張力により撓み、前記加飾フィルム３０を前記第１金型１０に押し付ける押付面４１Ａが前記キャビティ１１側へ移動するように構成されている
インモールド射出成形金型装置。
【請求項２】
前記キャビティ１１は入れ子構造として前記第１金型１０に形成されるとともに、前記コア２１は入れ子構造として前記第２金型２０に形成され、
前記クランプ部材４０は、前記コア２１側の入れ子であるコア入れ子２２に収納可能に設けられている
請求項１記載のインモールド射出成形金型装置。
【請求項３】
前記クランプ部材４０は、前記密閉空間の空気吸引時に前記加飾フィルム３０に作用する張力が大きくなる部分を対象として取り付けられている
請求項１又は請求項２記載のインモールド射出成形金型装置。
【請求項４】
前記吸引通路１４は、複数の吸引通路１４Ａ，１４Ｂからなり、
前記複数の吸引通路１４Ａ，１４Ｂのうちの少なくとも一部の吸引通路１４Ａ，１４Ｂは、前記キャビティ１１における複数の角部のうちの、前記密閉空間の空気吸引時に前記加飾フィルム３０に作用する張力が大きくなる角部に対し開口するように形成されている
請求項３記載のインモールド射出成形金型装置。
【請求項５】
請求項１〜４の何れか１項に記載されたインモールド射出成形装置により製作された樹脂成形品。
【発明の詳細な説明】
【技術分野】
【０００１】
本発明は、インモールド射出成形金型装置及び樹脂成形品製造方法に関する。
【背景技術】
【０００２】
インモールド射出成形は、携帯電話、化粧品容器、雑貨品などの比較的寸法の小さい外装部品に広く採用されている。ところが、最近ではルームエアコンの前面パネルのような大きなサイズの樹脂成形品についてまでインモールド射出成形法による加飾が求められるようになってきた。
【０００３】
一般に、インモールド射出成形金型装置は、特許文献１、特許文献２等に開示されているようなものであって、製品形状部の加飾面側の形状を形成するキャビティを有する第１金型、第１金型に対応して製品形状部の非加飾面側の形状を形成するコアを有する第２金型、キャビティの外側で加飾フィルムをクランプするクランプ部材などを備えている。
【０００４】
また、このようなインモールド射出成形金型装置は、次の手順で樹脂成型が行われている。
先ず、金型開き時に加飾フィルムを金型内に走向させる工程(フィルム送り工程）、クランプ部材により加飾フィルムをクランプしてキャビティ側金型の第１分割面に押し付ける工程（クランプ工程）、加飾フィルムとキャビティの内面との間に形成される空間部を真空引きする工程（吸引工程）が順次行われる。これにより加飾フィルムに伸びと変形を加えて加飾フィルムをキャビティの内面に密着させる。そして、その後型閉めし、その後に内部空間に溶融樹脂を射出する工程（射出工程）を行う。次いで、溶融樹脂を冷却し、これにより溶融樹脂を固化するとともに、加飾フィルムの模様を樹脂成形品に転写させる工程（冷却工程）を経て、最後に型開きし、完成した樹脂成形品を取り出す工程（取出工程）が行われる。
【先行技術文献】
【特許文献】
【０００５】
【特許文献１】特開２０１３−１８４３００号公報
【特許文献２】特開２００１−２３９５２５号公報
【発明の概要】
【発明が解決しようとする課題】
【０００６】
ところで、従来のインモールド射出成形金型装置は、加飾フィルムを第１金型の、第２金型との分割面、すなわちクランプ面にＯリングを介して押し付けることにより、吸引工程におけるエアリークを抑制し、これにより加飾フィルムのキャビティ内面への密着度を高めようとしていた。しかし、この従来の方法ではクランプ部材による加飾フィルムの固定力が高く、吸引時に加飾フィルムがキャビティ側へ移動することが全くないため、キャビティ角部において密着不足が生じ易いという問題があった。また、キャビティの角部において、加飾フィルムに必要とされる伸びや変形が過大となり密着不足が生じる場合があった。この結果、吸引時及び溶融樹脂射出時にキャビティの角部において加飾フィルムに色々な方向の応力が作用し、加飾フィルムに皴、破れ、傷、局部的な伸びに起因する転色層の薄肉化などが発生し、良品が得られないという問題があった。また、樹脂成形品が大型化すると、特にこの問題が顕著に表れていた。
【０００７】
本発明は、このような課題に鑑み成されたものであって、樹脂成形品に転写される加飾フィルムに生じ易い皴、傷、破れ、加飾フィルムの局部的薄肉化による薄色化などを緩和するインモールド射出成形金型装置と、このようなインモールド射出成形金型装置を用いて樹脂成形品を製造する樹脂成形品製造方法とを提供することを目的とする。
【課題を解決するための手段】
【０００８】
この課題を解決するインモールド射出成形金型装置は、製品形状部の加飾面側の形状を形成するキャビティを有する第１金型と、前記第１金型に対応して製品形状部の非加飾面側の形状を形成するコアを有する第２金型と、型開き時に前記キャビティの外側において、前記第１金型における前記第２金型との第１分割面に対し前記加飾フィルムを押し付けることにより第１分割面との間に加飾フィルムを拘束するクランプ部材と、前記加飾フィルムが前記クランプ部材により拘束されることにより形成される前記加飾フィルムと前記キャビティの内面との間の密閉空間の空気を吸引する、前記第１金型に形成された吸引通路とを有し、前記クランプ部材は、前記加飾フィルムを前記第１金型に押し付ける部材として柔軟性の高い材料からなる押付部材を有し、前記押付部材は、前記密閉空間の吸引時に前記加飾フィルムに作用する張力により撓み、前記加飾フィルムを前記第１金型に押し付ける押付面が前記キャビティ側へ移動するように構成されている。
【０００９】
加飾フィルムは、キャビティの外側でクランプ部材の柔軟性材料からなる押付部材により第１金型に押し付けられて拘束されている。そして、加飾フィルムとキャビティ内面との間の密閉空間の空気を吸引する時に、加飾フィルムに作用する引張応力により、クランプ部材の押付部材が加飾フィルムを第１金型に押し付けた状態のまま撓み、押付部材の押付面がキャビティ側へ移動する。これにより、加飾フィルムとキャビティ内面との間の密閉空間の吸引時に、キャビティの２次元角部や３次元角部に対し加飾フィルムが引き込まれ、キャビティの角部における加飾フィルムに必要とされる伸び代や変形量が緩和される。このため、樹脂成形品の加飾側表面に生じ易い加飾フィルムの皴、破れ傷、或いは、加飾フィルムの局部的な伸びによる転色層の薄肉化やマイクロクラックの発生を抑制することができる。
【００１０】
また、前記キャビティは入れ子構造として前記第１金型に形成されるとともに、前記コアは入れ子構造として前記第２金型に形成され、前記クランプ部材は、前記コア側の入れ子であるコア入れ子に収納可能に設けられているものとしてもよい。
【００１１】
通常、製造する樹脂成形品が変われば、キャビティ側のキャビ入れ子及びコア側のコア入れ子を変更するとともに、適切に弾性的に支持されるクランプ部材に変更する必要がある。したがって、上記のような構成にすれば、製造する樹脂成形品に対応してキャビ入れ子及びコア入れ子を変更する際に、クランプ部材をその都度適正なものに変更することが容易となる。
【００１２】
前記クランプ部材は、前記密閉空間の空気吸引時に前記加飾フィルムに作用する張力が大きくなる部分を対象として取り付けられているようにしてもよい。
このような構成にすれば、すべてのクランプ部材を、押付部材の押付面がキャビティ側に移動可能な構造とする必要がなく、このようなクランプ部材を必要とされる個所にのみ使用すればよいので、コストの上昇を抑制することができる。
【００１３】
前記吸引通路は、複数の通路からなり、前記複数の吸引通路のうちの少なくとも一部の吸引通路は、前記キャビティにおける複数の角部のうちの、前記密閉空間の空気吸引時に前記加飾フィルムに作用する張力が大きくなる角部に対し開口するように形成されているものとしてもよい。
【００１４】
加飾フィルムとキャビティの内面との間の密閉空間の吸引時に加飾フィルムに作用する張力が大きくなる角部は、加飾フィルムに高い伸び率が要求されるので空気が溜まり易い。しかし、上記のように構成すれば、この角部から直接空気を吸引することができるので、前述の押付部材の押付面がキャビティ側に移動するように弾性的に支持されるクランプ部材の使用効果と相俟って、加飾フィルムの傷、破れ、皴、局部的な薄肉化を効果的に抑制することができる。
【００１５】
また、本発明に係る樹脂成形品製造方法は、上記何れかのインモールド射出成形装置を用いて樹脂成形品を製作するものである。
インモールド射出成形装置により製作される樹脂成形品は、加飾フィルムとキャビティ内面との間の密閉空間の吸引時、形状変化率の大きいキャビティの角部において加飾フィルムに高い伸び率が要求される。しかし、樹脂成形品が上記インモールド射出成形装置により製造される場合には、このような高い伸び率の要求に対して加飾フィルムの伸び代が確保されるので、傷、破れ、皴、局部的な薄肉化が抑制される。したがって、外観の良好な加飾樹脂成形品を供給することができる。
【発明の効果】
【００１６】
本発明によれば、樹脂成形品の加飾面側に生じやすい加飾フィルムの皴、破れ、傷、或いは、加飾フィルムの局部的な伸びによる転色層の薄肉化やマイクロクラックの発生を抑制することができる。
【図面の簡単な説明】
【００１７】
【図１】本発明の実施の形態に係るインモールド射出成形装置のフィルム送り工程図である。
【図２】同インモールド射出成形装置のクランプ工程図である。
【図３】同クランプ工程時のクランプ部材周りの詳細図である。
【図４】同インモールド射出成形装置により製造される樹脂成形品の一例の外観斜視図である。
【図５】同インモールド射出成形装置におけるクランプ部材の平面配置図である。
【図６】同インモールド射出成形装置の吸引工程図である。
【図７】同吸引工程におけるクランプ部材周りの詳細図である。
【図８】同吸引工程に関連する参考説明図である。
【図９】同インモールド射出成形装置の射出工程図である。
【図１０】同射出工程におけるクランプ部材周りの詳細図である。
【図１１】同インモールド射出成形装置の取出し工程図である。
【図１２】同インモールド射出成形装置により製造される樹脂成形品の他の例の外観斜視図である。
【発明を実施するための形態】
【００１８】
本発明の実施の形態について、以下図面を参照しながら説明する。なお、以下の図面は理解し易くするために、主要な構成要素を模式的に示している。また、図示された各構成要素の縦横等の寸法は、図面作成の都合上実際の寸法とは異なる。また、以下に説明される寸法、構造、材質等は一例であって特に限定されるものではなく、本発明の趣旨から実質的に逸脱しない範囲で種々の変更が可能である。
【００１９】
本実施の形態に係るインモールド射出成形装置の全体構成の概要を図１に基づき説明する。
本実施の形態に係るインモールド射出成形装置は、図１に示すように、製品形状部の加飾面側の形状を形成するキャビティ１１を有する第１金型１０と、製品形状部の非加飾面側の形状を形成するコア２１を有する第２金型２０とを備えたものであって、型開き可能な金型として構成されている。なお、図１０で見て分かるように、キャビティ１１及びコア２１は、中央部から外周傾斜面の途中までの範囲が製品形状に対応する。外周傾斜面におけるその外側は、製品形状部の外側になっている。したがって、コア２１は、製品形状部に対応する形状対応部分２１Ａとその外側の非形状対応部分２１Ｂとの間に製品の肉厚分の段差が形成されている。
【００２０】
また、本インモールド射出成形装置は、加飾フィルム３０をクランプするクランプ部材４０を備えたものである。クランプ部材４０は、第２金型２０側にあって、図１及び図２からわかるように第１金型１０に対し遠近方向に移動可能に取り付けられている。このクランプ部材４０は、加飾フィルム３０を第１金型１０の第２金型２０に対する分割面である第１分割面１３に押し付けてクランプするものである。
【００２１】
第１金型１０は、固定型であって、キャビティ１１が入れ子構造として形成されている。この入れ子はキャビ入れ子１２と称されている。
また、第１金型１０は、キャビティ１１の外側に第２金型２０との分割面である第１分割面１３を有する。また、第１金型１０には、図示しない吸引装置に連通する吸引通路１４が形成されており、この吸引通路１４はキャビ入れ子１２内において複数の吸引通路１４Ａ，１４Ｂに分岐されている。複数の吸引通路１４Ａ，１４Ｂは、キャビティ１１の内面角部の周辺の底面に開口するように形成されている。
【００２２】
第２金型２０は、可動型であって、コア２１が入れ子構造として形成されている。この入れ子はコア入れ子２２と称されている。このコア入れ子２２には、溶融樹脂を流し込むためのスプル２３と、クランプ部材４０を収容する収容凹部２４が形成されている。
【００２３】
第２金型２０は、コア２１の外側に第１金型１０との分割面である第２分割面２５を有する。なお、コア２１は、前述のように、製品対応の形状対応部分２１Ａとその外側の非形状対応部分２１Ｂとは製品の肉厚分の段付きに形成されており、非形状対応部分２１Ｂの部分がキャビティ１１の内面とが加飾フィルム３０を挟んで突き合わされる構造となっている（射出工程時の図１０参照）。
【００２４】
また、第２金型２０には、図示省略されているが、コア入れ子２２を貫通する位置に、クランプ部材４０を第１金型１０に対し遠近方向に移動させるためのアーム（不図示）を貫通させる貫通孔（不図示）が形成されている。そして、クランプ部材４０は、このアームを介して移動装置（不図示）により移動制御されている。
【００２５】
本インモールド射出成形装置に用いられる加飾フィルム３０は、従来のものと同様のものであって、基体フィルム３１上に転写層３２を備えている。また、図面上で明示されていないが、基体フィルム３１と転写層３２との間には剥離層が形成され、転写層３２の表面側(すなわち製品側)には接着層が設けられている。
【００２６】
次に、クランプ部材４０について図３に基づき具体的に説明する。
クランプ部材４０は、加飾フィルム３０を第１金型１０の、第２金型２０との分割面である第１分割面１３に押し付ける押付部材４１と、この押付部材４１を支持する支持部材４２と、押付部材４１を支持部材４２に取り付けるための取付ボルト４３とを有する。
【００２７】
押付部材４１は、断面四角形の長尺部材であって、一面が加飾フィルム３０を押し付ける押付面４１Ａに形成されている。押付部材４１の反押付面側は、支持部材４２に抱き込まれた状態で、取付ボルト４３により支持部材４２に取り付けられている。このため、押付部材４１の反押付面側には取付ボルト４３を螺号するためのねじ穴４１Ｂが形成されている。
【００２８】
また、押付部材４１は、柔軟性材料からなるものであって、加飾フィルム３０を第１分割面１３に押し付けている状態の吸引工程において加飾フィルム３０に張力が作用したときに、この張力により押付部材４１の押付面４１Ａ側が撓んで押付面４１Ａがキャビティ１１側へ移動するように構成されている。この押付部材４１の材料としてはニトリルゴム、アクリルゴム、フッ素ゴム等の合成ゴムや天然ゴムが用いられる。
【００２９】
支持部材４２は、図示しない前述のアームにより第１金型１０に対し遠近可能となるように第２金型２０に取り付けられている。そして、支持部材４２は、型締めの際に第２金型２０の収容凹部２４内に収容される大きさに形成されている（図１０参照）。また、支持部材４２は、断面四角形の長尺部材の第１分割面１３側に押付部材４１を抱き込む第１凹溝４２Ａが長手方向に伸びるように形成され、反第１分割面側には取付ボルト４３を適宜の間隔で複数取り付けることができるようにするための第２凹溝４２Ｂが形成されている。これにより第１凹溝４２Ａと第２凹溝４２Ｂとの間に取付壁部４２Ｃが形成されている。
【００３０】
支持部材４２の第１凹溝４２Ａの深さは、押付部材４１の第１分割面１３と直角な方向の寸法の、約１／３〜１／２ぐらいを抱き込む寸法に形成されている。また、取付壁部４２Ｃには、取付ボルト４３を挿入するための複数のボルト孔４２Ｄが形成されている。取付ボルト４３は、座金組み込み六角穴つき頭部４３Ａと、ねじ部４３Ｂとを備えている。また、第２凹溝４２Ｂは、取付ボルト４３の頭部４３Ａを収納できる幅及び深さ寸法に形成されている。
【００３１】
また、このようなクランプ部材４０は、キャビティ１１の外側全域で加飾フィルム３０を挟持可能とするために、キャビティ１１の外周を取り巻くように配置されている。例えば、成形される製品が図４に示す深堀形状の箱型成形品５０の場合には、図５に示すように、押付部材４１を備えたクランプ部材４０がキャビティ１１の外周に沿う四辺の位置６１，６２，６３，６４と、この四辺の角部を斜めに繋ぐ四つのコーナ部６５，６６，６７、６８とに取り付けられる。
【００３２】
次に、本実施の形態の動作の説明として、上記のように構成されたインモールド射出成形装置による樹脂成形品の製造方法について説明する。
図１に示すように、フィルム送り工程では、加飾フィルム３０がフィルム送り装置（不図示）により型開きしている金型内へ送られる。ここでは、クランプ部材４０が第１金型１０から離れた位置に移動保持されており、加飾フィルム３０はクランプ部材４０と第１金型１０との間を走向する。
【００３３】
図２に示すように、次のクランプ工程では、第１金型１０から離れた位置に保持されていたクランプ部材４０が第１金型１０における第２金型２０との第１分割面１３まで移動する。そして、キャビティ１１の外周部で加飾フィルム３０を、第１金型１０の第１分割面１３へ押し付ける。これにより、加飾フィルム３０とキャビティ１１の内面との間に密閉空間が形成される。このときの状態は、図３に示すように、未だ加飾フィルム３０に張力が作用していない状態であって、クランプ部材４０の押付部材４１の押付面４１Ａ側はまだ撓んでいない。
【００３４】
次に、図６に示すように、吸引工程では、吸引通路１４に連通する吸引装置(不図示)が駆動され、吸引通路１４，１４Ａ，１４Ｂにより加飾フィルム３０とキャビティ１１の内面との間の密閉空間（図２参照）が真空引きされる。これにより、図６及び図７に示すように、加飾フィルム３０がキャビティ１１の内面に密着して沿うように変形する。また、クランプ部材４０により挟持される加飾フィルム３０に張力が作用する。また、図７に示すように、クランプ部材４０において、押付部材４１が撓んで押付面４１Ａがキャビティ１１側に移動する。この結果、クランプ部材４０と第１分割面１３との間に挟持された加飾フィルム３０がキャビティ１１側へ引き込まれる。このため、キャビティ１１内面の角部における加飾フィルム３０の張力及び変形が緩和される。
【００３５】
因みに、従来のようにクランプ部材４０の固定により加飾フィルム３０が移動しない構造であって、キャビティ１１内面の角部付近に吸引通路を有していない構造の場合は、吸引工程においてクランプ部材４０に挟持されている加飾フィルム３０がキャビティ１１内面に引き込まれることがない。このために、図８に示すように、キャビティ１１内面の角部における加飾フィルム３０の密着が不足し、角部に空間部１１０が残る。また、この場合は、真空引きにより加飾フィルム３０に過大な張力が作用したり、溶融樹脂射出時に空間部１１０に位置する加飾フィルム３０に大きな力が作用したりする。これら要因により、加飾フィルム３０に皴、破れ、傷、局部的に箔肉化が生るという問題があり、樹脂成形品の外観が低下するという問題が生じていた。しかし、本実施の形態の場合にはこのような問題を緩和することができる。
【００３６】
なお、樹脂成形品の形状や大きさが異なると、吸引工程において加飾フィルム３０に作用する張力が変わり、必要とする移動距離も変わってくるので、樹脂成形品の形状や大きさに応じの押付部材４１の形状、大きさ、材質を調節し、押付部材４１の押付面４１Ａの移動量、すなわち、加飾フィルムの引込量を調節することが必要である。
【００３７】
次に、吸引工程に続いて射出工程が行われる。真空引きの開始後又は真空引き終了後に金型が閉じられて、金型の内部に成形空間が形成され、射出工程が行われる。
図９、図１０に示すように、この実施の形態においては、加飾フィルム３０がクランプ部材４０と第１分割面１３との間に挟持された状態のまま第２金型２０が第１金型１０の方へ移動して型締めが行われる。そして、型締めされた後、射出工程に移行し、スプル２３から金型内部の成形空間に溶融樹脂２６が流し込まれる。
【００３８】
このとき、加飾フィルム３０は、溶融樹脂２６からの伝熱によりさらに軟化する。そして、流動する溶融樹脂２６と接触することにより、加飾フィルム３０の各部分が成形空間内において、溶融樹脂２６が最後に到達する予定の領域の方へ延ばされた状態で、溶融樹脂２６の射出が終了する。
【００３９】
溶融樹脂２６が成形空間内に充填された後、溶融樹脂２６は冷却されて固化する。そして溶融樹脂２６が固化した後、型開きされて取出し工程に移行する。
このとき、図１１に示すように、固化した樹脂からなる成形品、この場合は箱型成形品５０が第１金型１０から離れるときに、加飾フィルム３０の転写層３２が成形品側にくっ付いて転写される。そして、型開きした後、ロボットなどにより成形品が金型から例えば図示矢印で示す方向へ取り出される。
【００４０】
(効果)
本実施の形態に係るインモールド射出成形装置は、以上のように構成されているので、次のような効果を奏することができる。
【００４１】
（１）加飾フィルム３０は、型開き時にキャビティ１１の外側でクランプ部材４０の押付部材４１と第１分割面１３との間に挟持拘束されているが、加飾フィルム３０とキャビティ１１内面との間の密閉空間の空気を真空吸引する時に、加飾フィルム３０に作用する張力により、押付部材４１が加飾フィルム３０を挟持拘束した状態のまま撓んで、押付面４１Ａがキャビティ１１側へ移動する。これにより、加飾フィルム３０とキャビティ１１内面との間の密閉空間の吸引時に、加飾フィルム３０がキャビティ１１の２次元或いは３次元の角部に対し引き込まれ、キャビティ１１の角部における加飾フィルム３０に必要とされる伸び代や変形量が緩和される。このため、加飾フィルム３０の破れ、傷、局部的な伸びによる転色層の薄肉化の発生を抑制することができる。
【００４２】
（２）クランプ部材４０は、押付部材４１が撓んで押付面４１Ａがキャビティ１１側へ移動するように弾性的に支持されている。したがって、加飾フィルム３０とキャビティ１１内面との間の密閉空間を気密に保持しながら、加飾フィルム３０を移動させることができる。また、柔軟性材料からなる押付部材４１の材質、寸法、大きさ等を調整することにより、加飾フィルム３０に作用する張力、及び張力の変化に追随して移動させる加飾フィルム３０の移動量を適切に設定することができる。
【００４３】
（３）キャビティ１１は入れ子構造として第１金型１０に形成されるとともに、コア２１は入れ子構造として第２金型２０に形成され、さらに、クランプ部材４０は型締め時コア２１側のコア入れ子２２に収納可能に設けられている。したがって、製造する樹脂成形品に対応してキャビ入れ子１２及びコア入れ子２２を変更する際に、クランプ部材４０をその都度適正な仕様に変更することが容易となる。
【００４４】
（４）吸引通路１４は、複数の吸引通路１４Ａ，１４Ｂからなり、複数の吸引通路１４Ａ，１４Ｂのうちの少なくとも一部の吸引通路１４Ａ，１４Ｂは、キャビティ１１における複数の角部のうちの、吸引工程時の加飾フィルム３０に作用する張力が大きくなる角部に対し開口するように形成されている。したがって、クランプ部材４０の押付部材４１の押付面４１Ａを前述のような移動可能に構成することに加えてこのような吸引通路１４，１４Ａ，１４Ｂを設けることにより、吸引工程時におけるキャビティ１１の内面角部における加飾フィルム３０の密着を良好にすることができる。これにより、加飾フィルム３０の傷、破れ、皴、局部的な薄肉化を効果的に抑制することができる。
【００４５】
（５）本実施の形態に係るインモールド射出成形装置を用いて樹脂成形品を製造すると、外観の良好な加飾樹脂成形品を製造することができる。特に、高い伸び率が要求される大型樹脂成形品において良好な製品を供給することができる。
【００４６】
（変形例）
上記実施の形態に関する説明は、本発明に従うインモールド射出成形装置が取り得る形態の例示であり、その形態を制限することを意図していない。本発明に従うインモールド射出成形装置は、例えば以下に示される上記実施の形態の変形例、及び、相互に矛盾しない少なくとも２つの変形例が組み合わせられた形態を取り得る。上記実施の形態において以下のように変更することもできる。
【００４７】
・上記実施の形態においては、キャビティ１１を備える第１金型１０が固定型であって、コア２１を備える第２金型２０が可動型であったが、第１金型１０を可動型、第２金型２０を固定型とするように変更してもよい。
【００４８】
・上記実施の形態においては、樹脂成形品は深堀形状の箱型成形品５０であったが、このような形状に限られるものではない。例えば、図１２に示すような、平面形状が四角形であって、一片のみに折曲部が形成されているような二次元的成形品７０にも適用して効果がある。
【００４９】
・また、樹脂成形品において、加飾フィルム３０の張力が大きくなる位置が全周でなく一部の周辺に存在する場合、例えば、前出の図１２のような二次元的成形品７０を制作する場合には、本実施の形態のようなクランプ部材４０を周囲四辺や角部の全部に配置する必要がない。したがって、この場合は、折曲部のある一片のみに本実施の形態に係るクランプ部材４０を配置すればよい。
【００５０】
・また、前記実施の形態においては、クランプ部材４０には、適宜の間隔で取り付けられる取付ボルト４３の頭部４３Ａを収納するためのスペースとして第２凹溝４２Ｂが形成されていたが、この凹溝に代えて１個の取付ボルト４３の頭部４３Ａを収納する凹部を取付ボルト４３の個数分設けるようにしてもよい。
【００５１】
・本実施の形態においては、図１０に記載されているように、コア２１の外周斜面部とキャビティ１１の内面における外周斜面部とが斜面の途中で加飾フィルム３０を挟んで突き合わされる金型となっているが、第１金型１０と第２金型２０との突合せ面をキャビティ１１及びコア２１の外周側とする従来一般的な金型としてもよい。
【００５２】
・吸引通路１４は、キャビ入れ子１２内において複数の吸引通路１４Ａ，１４Ｂに分岐され、キャビティ１１内面の角部付近の底面に開口するように形成されているが、前記実施の形態のように１段階的に分岐される形態に限定されるものではない。例えば、１次的な吸引通路１４Ａ，１４Ｂに対しさらに２次的な吸引通路を設けるような形態とすることもできる。また、キャビ入れ子１２内で分岐せずにその外側から直接的に目的位置に吸引通路を開口するようにすることもできる。
【符号の説明】
【００５３】
１０…第１金型
１１…キャビティ
１３…第１分割面
１４…吸引通路
１４Ａ…吸引通路
１４Ｂ…吸引通路
２０…第２金型
２１…コア
２２…コア入れ子
３０…加飾フィルム
４０…クランプ部材
４１…押付部材
４１Ａ…押付面
【図１】
2017105061.tif 000003
【図２】
2017105061.tif 000004
【図３】
2017105061.tif 000005
【図４】
2017105061.tif 000006
【図５】
2017105061.tif 000007
【図６】
2017105061.tif 000008
【図７】
2017105061.tif 000009
【図８】
2017105061.tif 000010
【図９】
2017105061.tif 000011
【図１０】
2017105061.tif 000012
【図１１】
2017105061.tif 000013
【図１２】
2017105061.tif 000014
【手続補正書】
【提出日】平成29年4月3日(2017.4.3)
【手続補正１】
【補正対象書類名】特許請求の範囲
【補正対象項目名】請求項１
【補正方法】変更
【補正の内容】
【請求項１】
製品形状部の加飾面側の形状を形成するキャビティ１１を有する第１金型１０と、
前記第１金型１０に対応して製品形状部の非加飾面側の形状を形成するコア２１を有する第２金型２０と、
型開き時に前記キャビティ１１の外周を形成する、前記第１金型１０における前記第２金型２０との分割面である第１分割面１３に対し加飾フィルム３０を押し付けることにより、前記加飾フィルム３０と前記第１分割面１３との間を気密にシールするように前記加飾フィルム３０を前記第１分割面１３との間に拘束するクランプ部材４０と、
前記加飾フィルム３０が前記クランプ部材４０により拘束されることにより形成される前記加飾フィルム３０と前記キャビティ１１の内面との間の密閉空間の空気を吸引する、前記第１金型１０に形成された吸引通路１４とを有し、
前記クランプ部材４０は、前記加飾フィルム３０を前記第１金型１０に押し付ける部材として柔軟性材料からなる押付部材４１を有し、
前記押付部材４１は、前記密閉空間の吸引時に前記加飾フィルム３０に作用する張力により撓むことにより、前記加飾フィルム３０を前記第１金型１０に押し付ける押付面４１Ａが前記キャビティ１１側へ移動するように構成されている
インモールド射出成形金型装置。
【手続補正２】
【補正対象書類名】明細書
【補正対象項目名】０００８
【補正方法】変更
【補正の内容】
【０００８】
この課題を解決するインモールド射出成形金型装置は、製品形状部の加飾面側の形状を形成するキャビティを有する第１金型と、前記第１金型に対応して製品形状部の非加飾面側の形状を形成するコアを有する第２金型と、型開き時に前記キャビティの外周を形成する、前記第１金型における前記第２金型との分割面である第１分割面に対し加飾フィルムを押し付けることにより、前記加飾フィルムと前記第１分割面との間を気密にシールするように前記加飾フィルムを前記第１分割面との間に拘束するクランプ部材と、前記加飾フィルムが前記クランプ部材により拘束されることにより形成される前記加飾フィルムと前記キャビティの内面との間の密閉空間の空気を吸引する、前記第１金型に形成された吸引通路とを有し、前記クランプ部材は、前記加飾フィルムを前記第１金型に押し付ける部材として柔軟性の高い材料からなる押付部材を有し、前記押付部材は、前記密閉空間の吸引時に前記加飾フィルムに作用する張力により撓み、前記加飾フィルムを前記第１金型に押し付ける押付面が前記キャビティ側へ移動するように構成されている。
【手続補正３】
【補正対象書類名】明細書
【補正対象項目名】００２７
【補正方法】変更
【補正の内容】
【００２７】
押付部材４１は、断面四角形の長尺部材であって、一面が加飾フィルム３０を押し付ける押付面４１Ａに形成されている。押付部材４１の反押付面側は、支持部材４２に抱き込まれた状態で、取付ボルト４３により支持部材４２に取り付けられている。このため、押付部材４１の反押付面側には取付ボルト４３を螺合するためのねじ穴４１Ｂが形成されている。
【手続補正４】
【補正対象書類名】図面
【補正対象項目名】図１０
【補正方法】変更
【補正の内容】
【図１０】
2017105061.tif 000015